(57)【要約】【課題】酸洗設備の蒸気原単位を削減することができる間接加熱蒸気の再利用方法を提供する。【解決手段】本発明に係る間接加熱蒸気の再利用方法は、鋼板の酸洗を行う酸洗槽と、酸洗後の鋼板に付着した酸液を洗浄する水洗槽をこの順で備えた酸洗設備における間接加熱蒸気の再利用方法であって、酸洗槽の内部に配置されたチューブ内に蒸気を供給して酸洗槽の酸液を加熱し、若しくは、酸洗槽の外部に配置されたチューブ内に蒸気を供給すると共に酸洗槽から酸液を取り出してチューブの外側に接触させることにより酸液を加熱して、加熱した酸液を酸洗槽に戻し、酸液の加熱に使用された使用済みの蒸気を回収し、回収した蒸気を水洗槽に供給して水洗槽の水の加熱に再利用する。【選択図】図２
2016084509.tif 000002
【特許請求の範囲】
【請求項１】
鋼板の酸洗を行う酸洗槽と、酸洗後の鋼板に付着した酸液を洗浄する水洗槽をこの順で備えた酸洗設備における間接加熱蒸気の再利用方法であって、
酸洗槽の内部に配置されたチューブ内に蒸気を供給して酸洗槽の酸液を加熱し、若しくは、酸洗槽の外部に配置されたチューブ内に蒸気を供給すると共に酸洗槽から酸液を取り出してチューブの外側に接触させることにより酸液を加熱して、加熱した酸液を酸洗槽に戻し、
酸液の加熱に使用された使用済みの蒸気を回収し、
回収した蒸気を水洗槽に供給して水洗槽の水の加熱に再利用する間接加熱蒸気の再利用方法。
【請求項２】
酸洗槽と水洗槽をこの順で有する酸洗設備であって、
酸洗槽の内部に配置されたチューブ内に蒸気を供給して酸洗槽の酸液を加熱し、若しくは、酸洗槽の外部に配置されたチューブ内に蒸気を供給すると共に酸洗槽から酸液を取り出してチューブの外側に接触させることにより酸液を加熱して、加熱した酸液を酸洗槽に戻す間接蒸気加熱装置と、
間接蒸気加熱装置から使用済みの蒸気を回収する第１の配管と、
回収した蒸気を水洗槽に供給する第２の配管と、を有する酸洗設備。
【発明の詳細な説明】
【技術分野】
【０００１】
酸洗設備の酸洗槽の酸液を間接的に加熱する間接加熱蒸気を再利用して、酸洗設備の蒸気原単位を削減する間接加熱蒸気の再利用方法および酸洗設備に関する。
【背景技術】
【０００２】
鋼板の表面に生成したスケールを除去する設備として、酸液に鋼板を浸漬させる酸洗設備が用いられている。酸洗設備の酸洗槽では、スケール除去に適した温度となるように、酸液が加熱されている。
【０００３】
図１に示すように、酸液の加熱装置としては、「直接蒸気加熱装置」と「間接蒸気加熱装置」がある。「直接蒸気加熱装置」は、蒸気配管を酸洗槽内に配置し、酸洗槽に直接蒸気を投入することで、酸液を加熱する。「間接蒸気加熱装置」は、チューブ内に蒸気を通して、酸液をチューブの外側に接触させることで間接的に酸液を加熱する。
【０００４】
間接蒸気加熱装置では、酸洗槽の内部側面にチューブを配置するものや、酸洗槽の内部底部にチューブを配置するもの、若しくはチューブを酸洗槽の外部に配して、酸洗槽から取り出した酸液をチューブの外側に接触させて加熱した後、酸洗槽に戻すものがある。
【０００５】
間接蒸気加熱装置を用いる場合では、酸液の加熱に使用した蒸気は、温度が低下しているため、循環させることなく放出される。
【０００６】
酸洗設備では、上述の酸洗槽の酸液の他にも、酸洗後の酸液の洗浄に用いられる水洗槽の加熱に蒸気を使用しており、蒸気原単位が悪く、製造コストが増大している。コスト合理化のためには、使用する蒸気の削減や加熱方法の高効率化が必要となっている。
【０００７】
このような問題に対し、特許文献１では、酸洗槽の前段に冷却水槽を設け、この冷却水槽に熱延済みの鋼板を通板させることにより、冷却水槽を出た鋼板を１００℃近傍に保持し、１００℃近傍の鋼板を、冷却水槽の後段に配置された酸洗槽に通板させることにより、酸洗槽の酸液の温度を、鋼板の顕熱により１００℃近傍に保つことで、酸洗槽を加熱するために使用する蒸気を削減する手法が提案されている。
【先行技術文献】
【特許文献】
【０００８】
【特許文献１】特開昭６２−２２２０９０号公報
【発明の概要】
【発明が解決しようとする課題】
【０００９】
しかしながら、特許文献１に開示された手法では、酸洗槽の酸液を加熱した後の蒸気の再利用方法については、何ら検討されていない。
【００１０】
本発明は、このような問題点に対してなされたものであり、酸洗設備の蒸気原単位を削減することができる間接加熱蒸気の再利用方法および酸洗設備を提供することを目的とする。
【課題を解決するための手段】
【００１１】
本発明は、上記の目的を達成するために、以下のような特徴を有している。
［１］  鋼板の酸洗を行う酸洗槽と、酸洗後の鋼板に付着した酸液を洗浄する水洗槽をこの順で備えた酸洗設備における間接加熱蒸気の再利用方法であって、
酸洗槽の内部に配置されたチューブ内に蒸気を供給して酸洗槽の酸液を加熱し、若しくは、酸洗槽の外部に配置されたチューブ内に蒸気を供給すると共に酸洗槽から酸液を取り出してチューブの外側に接触させることにより酸液を加熱して、加熱した酸液を酸洗槽に戻し、
酸液の加熱に使用された使用済みの蒸気を回収し、
回収した蒸気を水洗槽に供給して水洗槽の水の加熱に再利用する間接加熱蒸気の再利用方法。
［２］  酸洗槽と水洗槽をこの順で有する酸洗設備であって、
酸洗槽の内部に配置されたチューブ内に蒸気を供給して酸洗槽の酸液を加熱し、若しくは、酸洗槽の外部に配置されたチューブ内に蒸気を供給すると共に酸洗槽から酸液を取り出してチューブの外側に接触させることにより酸液を加熱して、加熱した酸液を酸洗槽に戻す間接蒸気加熱装置と、
間接蒸気加熱装置から使用済みの蒸気を回収する第１の配管と、
回収した蒸気を水洗槽に供給する第２の配管と、を有する酸洗設備。
【発明の効果】
【００１２】
本発明によれば、酸洗槽の酸液を加熱した後の蒸気を水洗槽の加熱に再利用することで、酸洗設備の蒸気原単位を削減することができる。
【図面の簡単な説明】
【００１３】
【図１】酸洗槽の酸液を加熱する加熱設備の種類を示す図である。
【図２】本発明の実施の形態に係る酸洗設備の構成を示す図である。
【発明を実施するための形態】
【００１４】
以下、添付した図面を参照し、本発明の実施の形態について説明する。
【００１５】
図２は、本発明の実施の形態に係る酸洗設備の構成を示す図である。
【００１６】
本発明の実施の形態に係る酸洗設備は、ライン進行方向に沿って、酸洗槽２、水洗槽３、ドライヤー４を有している。
【００１７】
酸洗槽２は、複数の槽を有しており、それぞれの槽内には、間接蒸気加熱装置９が設けられている。間接蒸気加熱装置９は、槽内に配置されたチューブに、加熱された蒸気を供給することにより、槽内の酸液を間接的に加熱する。
【００１８】
水洗槽３は、複数の槽を有しており、酸洗槽２にて付着した鋼板１の酸を水洗により除去する。図２では、水洗槽３は、鋼板を浸漬させる３つの浸漬槽と、この浸漬槽の後段に、洗浄水を噴射して洗浄するスプレーを備えている。
【００１９】
ドライヤー４は、水洗された鋼板１に付着した水を乾燥により除去する。ドライヤー４によって乾燥しきれずに、鋼板に水分が残った場合は、鋼板が変色（酸化）し、品質異常となる。そのため、この変色を防止するために、ドライヤー４の前段の水洗槽３の水温を高くし、鋼板温度を上げて乾燥不足による品質不良を防止している。
【００２０】
本発明では、間接蒸気加熱装置で酸洗槽２の加熱に使用した後の蒸気を、この水洗槽３の加熱に再利用する。具体的には、酸洗槽２に設けられた間接蒸気加熱装置９から、使用済みの蒸気を、配管５（第１の配管）を介して回収タンク６に回収する。そして、回収タンク６に回収した使用済みの蒸気を、ポンプ７を用いて水洗槽３に配管８（第２の配管）を介して供給し、この蒸気によって水洗槽３の水を加熱する。
【００２１】
なお、使用済みの蒸気を供給する際には、水洗槽３の有する最終段の浸漬槽に供給することが好ましい。これにより、可能な限りドライヤー４の直近で水温を高くすることができ、ドライヤー４での乾燥効率を向上させることができる。
【００２２】
このように、本発明では、酸洗槽２に設けられた間接蒸気加熱装置９から、使用済みの蒸気を回収して、水洗槽３の加熱に再利用することで、水洗槽３にて使用される蒸気の量を削減することができる。これにより、酸洗設備の蒸気原単位を削減することができる。
【００２３】
なお、本発明は、酸液を加熱するチューブが、酸洗槽の外部に配された（酸洗槽の外部に配置されたチューブ内に蒸気を供給すると共に酸洗槽から酸液を取り出してチューブの外側に接触させることにより酸液を加熱して、加熱した酸液を酸洗槽に戻す）間接蒸気加熱装置にも適用することができる。
【実施例】
【００２４】
図２に示すような酸洗設備において、間接蒸気加熱装置で使用した蒸気を水洗槽の加熱に再利用した。間接蒸気加熱装置で使用した蒸気の水質は、下記の範囲のものを用いた。
【００２５】
ＰＨ：６．５〜８．０
濁度：２０ｍｇ/Ｌ以下
アルカリ度：７５ｍｇ/Ｌ以下
硬度：１２０ｍｇ/Ｌ以下
蒸発残留物：２５０ｍｇ/Ｌ以下
塩素イオン：８０ｍｇ/Ｌ以下
鉄：０．３ｍｇ/Ｌ以下
マンガン：０．２ｍｇ/Ｌ以下
鋼板を60,000Ton生産した結果、酸洗設備における蒸気使用量が、4200kgから3800kgに削減された。また、蒸気原単位は、46kg/Tonから41kg/Tonに削減された。なお、酸洗後の薄鋼板の表面品質については、前記した水質の蒸気を使用しても、使用しない場合と比較して、鋼板品質への影響はなかった。
【符号の説明】
【００２６】
１  鋼板
２  酸洗槽
３  水洗槽
４  ドライヤー
５  配管
６  回収タンク
７  ポンプ
８  配管
９  間接蒸気加熱装置
【図１】
2016084509.tif 000003
【図２】
2016084509.tif 000004